(57)【要約】【課題】採血時に生じる煙り及び異物を吸入したり、患者の痛症と熱感を低減することのできるレーザ採血機を提供する。【解決手段】本発明の一実施例に係るレーザ採血機１０は、本体１００と、本体１００の内部に位置し、レーザを発生させて前方へ出力するレーザ共振機２００と、レーザ共振機２００の前方に配置され、内部に少なくとも１つ以上のレンズ部３１０が固定されたビーム鏡筒３００と、ビーム鏡筒３００の前方に配置され、本体１００に結合されるウィンドウ鏡筒４００と、ウィンドウ鏡筒４００の前方に結合され、被照射部に接触されるキャップ部５００と、キャップ部５００と連通し、空気の流れを誘導するファンユニット６００と、一端がファンユニット６００に連結され、他端がキャップ部５００に連結された連通管と、を含む。【選択図】図２
2019155067.tif 000002
【特許請求の範囲】
【請求項１】
レーザ採血機において、
本体と、
前記本体の内部に位置し、レーザを発生させて前方へ出力するレーザ共振機と、
前記レーザ共振機の前方に配置され、内部に少なくとも１つ以上のレンズ部が固定されたビーム鏡筒と、
前記ビーム鏡筒の前方に配置され、前記本体に結合されるウィンドウ鏡筒と、
前記ウィンドウ鏡筒の前方に結合され、被照射部に接触されるキャップ部と、
前記キャップ部と連通し、空気の流れを誘導するファンユニットと、
一端が前記ファンユニットに連結され、他端が前記キャップ部に連結された連通管と、を含む、レーザ採血機。
【請求項２】
前記ファンユニットは、
前記連通管を介して前記キャップ部で生じる煙り又は異物を吸入する、請求項１に記載のレーザ採血機。
【請求項３】
前記ファンユニットは、
前記キャップ部に前記連通管を介して冷却媒質を供給する、請求項１に記載のレーザ採血機。
【請求項４】
前記キャップ部は、
開口部及び開口部周辺に沿って接触地点に対して支持される支持面を含むキャップ本体と、
前記キャップ本体の開口部の後面から延びるように形成され、前記ウィンドウ鏡筒に挿入され、内部に所定の空間を備えた貫通孔と、
前記連通管及び前記貫通孔の内部と連通する第１の連通孔と、
前記貫通孔の内部と外部が互いに連通するように形成された第２の連通孔と、を含む、請求項１に記載のレーザ採血機。
【請求項５】
前記ウィンドウ鏡筒の前方に位置する接触感知センサをさらに含み、
前記キャップ本体には、前記接触感知センサが貫通するセンサ孔が形成される、請求項４に記載のレーザ採血機。
【請求項６】
前記キャップ部は、
前記キャップ本体に結合され、前記ウィンドウ鏡筒に前記キャップ本体を結合する締結部をさらに含む、請求項４に記載のレーザ採血機。
【請求項７】
前記キャップ部は、
前記キャップ本体の支持面から延びるように形成された取っ手部をさらに含む、請求項４に記載のレーザ採血機。
【請求項８】
前記本体は、
外部の空気が前記ファンユニットに供給される空気流入口と、
前記空気流入口に流入された空気が外部に排出される空気排出口と、を含む、請求項１に記載のレーザ採血機。
【請求項９】
前記ウィンドウ鏡筒は、
前記レーザが通過する経路を遮断又は開放するインターロック部を含み、
前記インターロック部は、
前記キャップ部が前記ウィンドウ鏡筒に挿入されることによって前記レーザ経路が開放される、請求項１に記載のレーザ採血機。
【請求項１０】
前記インターロック部は、
一端が上記ウィンドウ鏡筒の前端に結合され、前記ウィンドウ鏡筒の中心方向に所定の角度を成して延びるように形成された第１のプレート及び前記第１のプレートの他端が前記レーザ経路方向に折り曲げられて形成された第１の折曲部を含む第１の遮断部と、
一端が前記ウィンドウ鏡筒の前端に結合され、前記ウィンドウ鏡筒の中心方向に所定の角度を成して延びるように形成された第２のプレート及び前記第２のプレートの他端が前記第１の折曲部の位置する方向に折り曲げられて形成された第２の折曲部を含む第２の遮断部と、を含み、
前記第１の遮断部及び第２の遮断部は、
前記キャップ部が前記ウィンドウ鏡筒に挿入されることによって、前記第１の遮断部と第２の遮断部の間で前記レーザの照射される経路が開放されるよう、互いに離隔して移動される、請求項９に記載のレーザ採血機。
【請求項１１】
前記本体の前方部に位置し、被照射部に光を照射して血管の位置を可視化する静脈ファインダをさらに含む、請求項１に記載のレーザ採血機。
【請求項１２】
前記ビーム鏡筒を前後方向に移動させる前後進手段をさらに含む、請求項１に記載のレーザ採血機。
【発明の詳細な説明】
【技術分野】
【０００１】
本発明は、レーザ採血機に関する。
【背景技術】
【０００２】
近年、各種先端技術の発達に伴う各種医療機器の発達に従い、医療分野においても、従前とは異なり、先端のレーザ機器が各種疾病の治療に活用されている傾向がある。
【０００３】
医療用として使用されるレーザの用途の一つが、皮膚にレーザを照射することで皮膚を穿孔することであり、皮膚を穿孔することで穿孔された皮膚から採血をしたり、穿孔された小さな孔に薬剤を投与したり、皮膚のほくろやそばかすなどを除去することに使用されている。
【０００４】
一方、これと関連して特許文献１（発明の名称：二重安全装置を備えた携帯型レーザ採血機及びそれに使用される使い捨てキャップ）においては、レーザモジュールを介して外部に露出するレーザモジュールの照射方向を塞ぐ照射口カバーと、照射口カバーの開放及び閉塞による上下移動でオンオフする第１のスイッチ部と、レーザモジュールと皮膚密着接続部との間に弾性部材を備え、皮膚密着接続部のプッシュ（Ｐｕｓｈ）及びプル（Ｐｕｌｌ）でオンオフする第２のスイッチ部と、第１のスイッチ部及び第２のスイッチ部がオン（ＯＮ）の状態でレーザを照射するようにするボタンスイッチと、を含む構成を開示している。
【先行技術文献】
【特許文献】
【０００５】
【特許文献１】大韓民国登録特許第１０−１２５１８９０号公報
【発明の概要】
【発明が解決しようとする課題】
【０００６】
本願は、上述した従来技術の問題点を解決するためのものであり、ファンユニットを介して採血時に生じる煙り及び異物を吸入したり、痛症と熱感を低減することのできるレーザ採血機を提供することを目的とする。
【０００７】
但し、本実施例が達成しようとする技術的課題は、上記したような技術的課題に限定されるものではなく、他の技術的課題が存在し得る。
【課題を解決するための手段】
【０００８】
上述した技術的課題を解決するための技術的手段として、本願の一実施例に係るレーザ採血機は、本体と、本体の内部に位置し、レーザを発生させて前方へ出力するレーザ共振機と、レーザ共振機の前方に配置され、内部に少なくとも１つ以上のレンズ部が固定されたビーム鏡筒と、ビーム鏡筒の前方に配置され、前記本体に結合されるウィンドウ鏡筒と、ウィンドウ鏡筒の前方に結合され、被照射部に接触されるキャップ部と、前記キャップ部と連通し、空気の流れを誘導するファンユニットと、一端が前記ファンユニットに連結され、他端が前記キャップ部に連結された連通管と、を含む。
【発明の効果】
【０００９】
上述した本発明の課題を解決するための手段によれば、ファンユニットを用いて、患者の手術部位から生じる煙り及び異物を吸入することができ、患者の手術部位における熱損傷を抑制して患者の痛症を低減することができ、レーザ共振機を冷却することで長期間の連続使用にも問題ないという効果がある。
【００１０】
また、キャップ部がウィンドウ鏡筒に挿入された場合のみにレーザが外部へ照射されるようにするインターロック部を含むことによって、事故を未然に防止できる効果がある。
【図面の簡単な説明】
【００１１】
【図１】本発明の一実施例に係るレーザ採血機の斜視図である。
【図２】本発明の一実施例に係るレーザ採血機の概略図である。
【図３】図１におけるＡの拡大図である。
【図４】レーザ採血機のファンユニットを説明するための図である。
【図５】本発明の一実施例に係るレーザ採血機のインターロック部を説明するための図である。
【発明を実施するための形態】
【００１２】
以下では、添付した図面を参照しながら、本願の属する技術分野において通常の知識を有する者が容易に実施できるように本願の実施例を詳しく説明する。ところが、本願は様々な異なる形態に具現されることができ、ここで説明する実施例に限定されるものではない。そして、図面において、本願を明確に説明するために、説明とは関係ない部分は省略しており、明細書全体に亘って類似した部分に対しては類似した図面符号を付けている。
【００１３】
本願の明細書全体において、ある部分が他の部分と「連結」されているという場合、これは「直接的に連結」されている場合だけでなく、その中間に他の素子を挟んで「電気的に連結」されている場合も含む。
【００１４】
本願の明細書全体において、ある部材が他の部材の「上に」位置しているという場合、これは、ある部材が他の部材に接している場合だけでなく、両部材の間にまた他の部材が存在する場合も含む。
【００１５】
本願の明細書全体において、ある部分がある構成要素を「含む」という場合、これは、特に反対の記載がない限り、他の構成要素を除くのではなく、他の構成要素をさらに含み得ることを意味する。本願の明細書全体において使用される程度の用語「約」、「実質的に」などは、言及された意味に固有の製造及び物質許容誤差が提示される場合、その数値で、又はその数値に近接した意味として使用され、本願の理解を助けるために、適確であるか絶対的な数値が言及された開示内容を非良心的な侵害者が不当に用いることを防止するために使用される。本願の明細書全体において使用される程度の用語「〜（する）ステップ」又は「〜のステップ」は、「〜のためのステップ」を意味していない。
【００１６】
本願は、レーザ採血機１０に関するものであり、レーザを用いて皮膚を穿孔し、採血することのできる装置である。
【００１７】
図１は、本発明の一実施例に係るレーザ採血機１０の斜視図であり、図２は、本発明の一実施例に係るレーザ採血機１０の概略図であり、図３は、図１におけるＡの拡大図であり、図４は、本発明の一実施例に係るレーザ採血機１０のファンユニット６００を説明するための図であり、図５は、本発明の一実施例に係るレーザ採血機１０のインターロック部４２０を説明するための図である。
【００１８】
先ず、図１乃至図３を参照しながら、本願の一実施例に係るレーザ採血機１０について説明する。
【００１９】
レーザ採血機１０は、本体１００と、レーザ共振機２００と、ビーム鏡筒３００と、ウィンドウ鏡筒４００と、キャップ部５００と、ファンユニット６００と、を含み得る。
【００２０】
本体１００は、被照射部にレーザを照射するための構成がその内部に位置し、ユーザが把持できるように形成され得る。
【００２１】
レーザ共振機２００は、本体１００の内部に位置し、光エネルギーを発生させて前方へ出力する。例えば、レーザ共振機２００は、電気エネルギーを供給してもらい、光を増幅させて、気体レーザ、液体レーザ、固体レーザ、及び半導体レーザの中から選択される１つのレーザのような光エネルギーを発生させて外部へ放出する。
【００２２】
ビーム鏡筒３００は、レーザ共振機２００の前方に配置され、内部に少なくとも１つ以上のレンズ部３１０が固定され得る。例えば、レンズ部３１０はフォーカシングレンズであるが、これに限定されるものではない。
【００２３】
ウィンドウ鏡筒４００は、ビーム鏡筒３００の前方に配置され、本体１００に結合される。例えば、ウィンドウ鏡筒４００は、図５の（ａ）に示されたように、ビーム鏡筒３００の前方に位置し、前後方向に孔が穿孔され、内周縁の後方にねじ山が形成されて本体１００にねじ結合される。また、ウィンドウ鏡筒４００は、内部にウィンドウ部４１０が位置し、本体１００の内部にほこりのような異物が侵透することを防止することができる。このとき、ウィンドウ部４１０は、ビーム鏡筒３００を通過したレーザがウィンドウ鏡筒４００の前方に照射されることができるよう、透明な材質であることが好ましい。
【００２４】
また、図５の（ａ）を参照すると、ウィンドウ鏡筒４００には、後述するキャップ部５００に供給される冷却媒質が通過したり、キャップ部５００で生じる煙り又は異物が吸入される連通管４４０が形成され得る。言い換えれば、連通管４４０は、一端がファンユニット６００と連結され、他端がキャップ部５００の第１の連通孔５３０に連結されて、ファンユニット６００の冷却媒質がキャップ部５００に供給されたり、キャップ部５００で生じる煙り又は異物が第１の連通孔５３０を介して吸入され得る。これに関する詳細な説明は後述する。
【００２５】
キャップ部５００は、ウィンドウ鏡筒４００の前方に結合され、被照射部に接触され得る。
【００２６】
例えば、キャップ部５００は、ウィンドウ鏡筒４００の前方に交替可能に結合される。また、キャップ部５００は、被照射部に接触され、被照射部を穿孔する過程で生じる匂い、煙り又は騷音を最小化することができる。例えば、上述した被照射部は患者の皮膚である。さらに、ユーザ毎にキャップ部５００を交替して使用することによって、レーザ採血機１０を共に使用する患者間の感染を予防することができる。
【００２７】
ファンユニット６００は、レーザ共振機２００及びキャップ部５００に冷却媒質を供給する。このとき、冷却媒質は、外部の空気を用いることができる。また、レーザ採血機１０は、一端がファンユニット６００に連結され、他端がキャップ部５００に連結された連通管４４０を含み得る。
【００２８】
例えば、ファンユニット６００は、冷却媒質として外部の空気を用いる場合、冷却ファンを含み、冷却ファンを駆動することによって外部の空気をレーザ共振機２００に直接的に供給し、連通管４４０を介してキャップ部５００に供給する。
【００２９】
詳しくは、図１を参照すると、本体１００は、外部の空気がファンユニット６００に供給される空気流入口１１０と、空気流入口１１０に流入された空気が外部に排出される空気排出口１２０と、を含み得る。また、ファンユニット６００は、空気流入口１１０に供給された空気をレーザ共振機２００に供給し、レーザ共振機２００を冷却した空気は空気排出口１２０を介して外部に排出され得る。また、空気流入口１１０に供給された空気は連通管４４０を介してキャップ部５００に供給され得る。また、キャップ部５００に供給された空気はユーザの皮膚を冷却し得る。これに関する詳細な説明は後述する。
【００３０】
レーザ採血機１０は、本体１００の前方部に位置し、皮膚に光を照射して血管の位置を可視化する静脈ファインダ８００をさらに含み得る。静脈ファインダ８００は、患者の皮膚に近赤外線を照射し、明確に患者の血管を可視化する装置である。言い換えれば、レーザ採血機１０は、静脈ファインダ８００を用いてユーザが患者の血管を容易に見つけることができるので、正確な位置にレーザを照射することができる。
【００３１】
レーザ採血機１０は、ビーム鏡筒３００を前後方向に移動させる前後進手段（未図示）をさらに含み得る。言い換えれば、前後進手段は、ビーム鏡筒３００を前後進させることで患者の皮膚とフォーカシングレンズとの距離を調整し、患者の皮膚に照射されるレーザスポットの大きさを調整することができる。例えば、ビーム鏡筒３００は、ユーザがコントロール部２１０を介してレーザスポットの大きさを調整することにより、モータが駆動されて位置が調整されることができるが、これに限定されるものではなく、手動でビーム鏡筒３００の位置を前後方向に移動させることもできる。
【００３２】
図３及び図４を参照しながら、本発明の一実施例に係るキャップ部５００について詳しく説明する。
【００３３】
キャップ部５００は、キャップ本体５１０と、貫通孔５２０と、第１の連通孔５３０と、第２の連通孔５４０と、を含み得る。
【００３４】
キャップ本体５１０は、開口部５１１と、開口部５１１周辺に沿って接触地点に対して支持される支持面５１２と、を含む。例えば、キャップ本体５１０は、図３に示されたように、円板状に形成され、中央部に開口部５１１が形成される。また、キャップ本体５１０は、キャップ本体５１０の支持面５１２から延びるように形成された少なくとも１つ以上の取っ手部５５０をさらに含み得る。ユーザは、取っ手部５５０を介してキャップ部５００をレーザ採血機１０に容易に着脱することができる。しかし、これに限定されるものではなく、レーザ採血機１０は、別途のエジェクタを備え、キャップ部５００を着脱することもできる。
【００３５】
開口部５１１の面積は設計者の選択によって決定するが、レーザ採血機１０から出力されるレーザがキャップ部５００の貫通孔５２０に干渉されないよう、レーザの進行経路を確保できる水準で適正な面積を確保することが好ましい。また、キャップ部５００が主に接触する指先の平均面積よりは小さくなるように設計することで、接触部位に適切な圧力が与えられるようにすることが好ましい。同様に、支持面５１２は、キャップ部５００が接触される地点に対してキャップ部５００が密着するよう、適正な面積を確保するようにする。
【００３６】
また、キャップ部５００は、キャップ本体５１０に結合され、レーザ採血機１０のウィンドウ鏡筒４００にキャップ本体５１０を結合する締結部５６０を含み得る。例えば、締結部５６０は、キャップ本体５１０の後面の周部に位置し、後方へ突出形成され、内面に形成された突起部５６１を含む。また、突起部５６１は、ウィンドウ鏡筒４００の周部に形成された締結溝４３０に係合され、キャップ部５００が非意図的に分離されることを防止することができる。
【００３７】
貫通孔５２０は、キャップ本体５１０の開口部５１１の後面から延びるように形成され、内部に所定の空間を備えている。
【００３８】
図３及び図４を参照すると、第１の連通孔５３０は、連通管４４０と貫通孔５２０の内部が連通するように形成され、第２の連通孔５４０は、貫通孔５２０の内部と外部が連通するように形成され得る。
【００３９】
詳しくは、図４の（ａ）を参照すると、ファンユニット６００を介して被照射部を冷却する場合、連通管４４０を介して供給された冷却媒質は、キャップ部５００の第１の連通孔５３０を介して貫通孔５２０の内部に供給され得る。また、貫通孔５２０の内部に供給された冷却媒質は、キャップ本体５１０の開口部５１１に位置する被照射部を冷却した後、第２の連通孔５４０を介して外部に排出され得る。さらに、冷却媒質として外部の空気を用いる場合、構成が簡単で、且つ、冷却媒質の流出により機器が破損することを防止できる効果がある。
【００４０】
また、図４の（ｂ）を参照すると、ファンユニット６００を介して採血時に生じる煙り及び異物を吸入する場合、ファンユニット６００は、吸入力を形成し、ファンユニット６００と連通した連通管４４０及び第１の連通孔５３０を介して煙り及び異物を除去することができる。例えば、第２の連通孔５４０を介して流入された外部の空気が被照射部を経て被照射部に位置した煙り及び異物と共に第１の連通孔５３０を介して連通管４４０に流入され、第２の連通孔５４０を介して流入された空気により被照射部が冷却される。
【００４１】
図３を参照すると、レーザ採血機１０は、ウィンドウ鏡筒４００の前方に位置する接触感知センサ７００をさらに含み、キャップ本体５１０には、接触感知センサ７００が貫通するセンサ孔５１３が形成され得る。また、レーザ採血機１０は、接触感知センサ７００が被照射部に接触したことが感知される場合にレーザが照射されるようにして、事故を未然に防止することができる。例えば、接触感知センサ７００は、人体に流れる微細な電流を感知する電流センサ、接触された被照射部の温度を感知する温度センサのうち何れかのセンサである。
【００４２】
図５を参照しながら、本発明の一実施例に係るインターロック部４２０について詳しく説明する。
【００４３】
ウィンドウ鏡筒４００は、レーザが通過する経路を遮断又は開放するインターロック部４２０を含み得る。また、インターロック部４２０は、キャップ部５００がウィンドウ鏡筒４００に挿入されることによってレーザ経路が開放され得る。
【００４４】
詳しくは、インターロック部４２０は、一端がウィンドウ鏡筒４００の前端に結合され、ウィンドウ鏡筒４００の中心方向に所定の角度を成して延びるように形成された第１のプレート４２１ａ及び第１のプレート４２１ａの他端がレーザ経路方向に折り曲げられて形成された第１の折曲部４２１ｂを含む第１の遮断部４２１と、一端がウィンドウ鏡筒４００の前端に結合され、ウィンドウ鏡筒４００の中心方向に所定の角度を成して延びるように形成された第２のプレート４２２ａ及び第２のプレート４２２ａの他端が第１の折曲部４２１ｂの位置する方向に折り曲げられて形成された第２の折曲部４２２ｂを含む第２の遮断部４２２と、を含み得る。例えば、第１のプレート４２１ａ及び第２のプレート４２２ａは、貫通孔５２０の外周面と同じ曲率で曲がるように形成される。
【００４５】
言い換えれば、図５の（ａ）を参照すると、インターロック部４２０は、ウィンドウ鏡筒４００の内部に位置し、レーザが通過するレーザ経路上に第１の折曲部４２１ｂと第２の折曲部４２２ｂが位置して、使用しない際にレーザが外部へ照射されることを防止することができる。
【００４６】
また、インターロック部４２０は、キャップ部５００がウィンドウ鏡筒４００に挿入されることによってレーザ経路が開放され得る。詳しくは、キャップ部５００の貫通孔５２０がウィンドウ鏡筒４００に挿入されることによって、キャップ部５００の貫通孔５２０の端部が第１のプレート４２１ａ及び第２のプレート４２２ａに接触し、第１のプレート４２１ａ及び第２のプレート４２２ａがウィンドウ鏡筒４００の外側方向に移動され得る。このとき、第１の折曲部４２１ｂと第２の折曲部４２２ｂはウィンドウ鏡筒４００の外側方向に移動されて第１の折曲部４２１ｂと第２の折曲部４２２ｂが互いに離隔し、これにより、第１の折曲部４２１ｂと第２の折曲部４２２ｂの間にレーザが照射される経路が開放され得る。従って、レーザ採血機１０は、キャップ部５００を使用しない際にレーザが外部へ照射されることを防止し、事故を未然に防止することができる。
【００４７】
上述した本願の説明は例示のためのものであり、本願の属する技術分野において通常の知識を有する者であれば、本願の技術的思想や必須の特徴を変更せずに他の具体的な形態で容易に変形可能であるということを理解できるはずである。それゆえ、上記した実施例は全ての面において例示的なものであり、限定的なものではないと理解すべきである。例えば、単一型で説明されている各構成要素は分散して実施されることもでき、同様に、分散したものと説明されている構成要素も結合された形態で実施されることができる。
【００４８】
本願の範囲は、上記詳細な説明よりは後述する特許請求の範囲によって示され、特許請求の範囲の意味及び範囲、並びにその均等概念から導出される全ての変更又は変形された形態が本願の範囲に含まれることと解釈されなければならない。
【符号の説明】
【００４９】
１０  レーザ採血機、１００  本体、１１０  空気流入口、１２０  空気排出口、２００  レーザ共振機、２１０  コントロール部、３００  ビーム鏡筒、３１０  レンズ部、４００  ウィンドウ鏡筒、４１０  ウィンドウ部、４２０  インターロック部、４２１  第１の遮断部、４２１ａ  第１のプレート、４２１ｂ  第１の折曲部、４２２  第２の遮断部、４２２ａ  第２のプレート、４２２ｂ  第２の折曲部、４３０  締結溝、４４０  連通管、５００  キャップ部、５１０  キャップ本体、５１１  開口部、５１２  支持面、５１３  センサ孔、５２０  貫通孔、５３０  第１の連通孔、５４０  第２の連通孔、５５０  取っ手部、５６０  締結部、５６１  突起部、６００  ファンユニット、７００  接触感知センサ、８００  静脈ファインダ。
【図１】
2019155067.tif 000003
【図２】
2019155067.tif 000004
【図３】
2019155067.tif 000005
【図４】
2019155067.tif 000006
【図５】
2019155067.tif 000007